(57)【要約】【課題】  本発明は端子台に係り、圧着端子の取付け／取り外しに当たり、ねじの確実な脱落防止を可能とした端子台を提供することを目的とする。【解決手段】  各配線接続部に対応して形成された谷状凹部の底部に、圧着端子の電極部をねじ止めするねじ孔が形成され、谷状凹部の対向する側壁の上部に下側内方へ傾斜する傾斜面が形成されると共に、傾斜面の上部側に内方へ突出する係止片が形成された端子台本体と、傾斜面に沿って谷状凹部内に上下動可能に収納，装着され、ねじ孔に対応するねじ挿通孔が形成された平坦な基部と該基部の左右両端から上側斜め外方へ折曲された一対の弾性片とで上向き略コ字状に形成されたねじ脱落防止用金具と、圧着端子を端子台本体にねじ止めする小座つきねじとからなり、ねじ脱落防止用金具は、一枚の短冊状のばね鋼を折曲して形成され、基部から前記両端弾性片への折曲部にねじ挿通孔に挿通させた小座つきねじの座金を保持，固定する保持手段が設けられている。【選択図】    図３
2010129287.tif 000002
【特許請求の範囲】
【請求項１】
各配線接続部に対応して形成された谷状凹部の底部に、圧着端子の電極部をねじ止めするねじ孔が形成され、前記谷状凹部の対向する側壁の上部に、下側内方へ傾斜する傾斜面が形成されると共に、該傾斜面の上部側に内方へ突出する係止片が形成された端子台本体と、
前記傾斜面に沿って前記谷状凹部内に上下動可能に収納，装着され、前記ねじ孔に対応するねじ挿通孔が形成された平坦な基部と該基部の左右両端から上側斜め外方へ折曲された一対の弾性片とで上向き略コ字状に形成されたねじ脱落防止用金具と、
圧着端子を前記端子台本体にねじ止めする小座つきねじとからなり、
前記ねじ脱落防止用金具は、一枚の短冊状のばね鋼を折曲して形成され、前記基部から前記両端弾性片への折曲部に、前記ねじ挿通孔に挿通させた小座つきねじの座金を保持，固定する保持手段が設けられていることを特徴とする端子台。
【請求項２】
前記保持手段は、前記折曲部に沿って形成され、前記座金の端部が挿入，係止されるスリットであることを特徴とする請求項１に記載の端子台。
【請求項３】
前記保持手段は、前記折曲部に沿って切り込みを入れて形成された切欠き片で、該切欠き片が前記座金を上方から押圧，保持することを特徴とする請求項１に記載の端子台。
【請求項４】
各配線接続部に対応して形成された谷状凹部の底部に、圧着端子の電極部をねじ止めするねじ孔が形成され、前記谷状凹部の対向する側壁の上部に、下側内方へ傾斜する傾斜面が形成されると共に、該傾斜面の上部側に内方へ突出する係止片が形成された端子台本体と、
前記傾斜面に沿って前記谷状凹部内に上下動可能に収納，装着され、前記ねじ孔に対応するねじ挿通孔が形成された平坦な基部と該基部の左右両端から上側斜め外方へ折曲された一対の弾性片とで上向き略コ字状に形成されたねじ脱落防止用金具と、
圧着端子を前記端子台本体にねじ止めする固定ねじとからなり、
前記ねじ脱落防止用金具は、一枚の短冊状のばね鋼を折曲して形成され、前記基部から前記両端弾性片への折曲部に、前記ねじ挿通孔に挿通させた固定ねじのねじ首部を保持，固定する保持手段が設けられていることを特徴とする端子台。
【請求項５】
前記保持手段は、前記固定ねじのねじ首部の断面形状に沿って形成され、該ねじ首部が係合する固定孔であることを特徴とする請求項４に記載の端子台。
【請求項６】
前記谷状凹部の対向する側壁に、前記係止片から傾斜面に亘って係止溝を設けると共に、一対の前記弾性片の先端に、前記係止溝に係止する係止部を設けたことを特徴とする請求項１乃至請求項５のいずれか１項に記載の端子台。
【請求項７】
前記弾性片は、先端側が前記傾斜面に圧接可能に斜め外方へ拡開して折曲していることを特徴とする請求項１乃至請求項６のいずれか１項に記載の端子台。
【発明の詳細な説明】
【技術分野】
【０００１】
本発明は、配線用の圧着端子を接続する端子台に関する。
【背景技術】
【０００２】
従来、電源装置とこの電源装置から電力の提供を受ける電子機器との接続や、センサとこのセンサから電気信号を受ける電子機器との接続等に端子台が使用されている。
【０００３】
端子台と電源装置やセンサはリード線を介して電気的に接続され、リード線の先端に圧着接続された圧着端子が、ねじによって端子台にねじ止めされるようになっている。
【０００４】
前記ねじは、端子台の一面側に形成された多数のねじ孔に、夫々、スプリングワッシャを緩挿して固定した状態に保持されており、圧着端子を介してリード線を接続する際には、端子台からスプリングワッシャと共にねじを一旦完全に取り外して、圧着端子の電極部（ねじ止め部）をねじで端子台に接続，固定している。
【０００５】
しかし、斯様に圧着端子を端子台に接続する際、上述の如くねじを一旦完全に外す必要があるため、ねじやスプリングワッシャを何らかの手段で確実に保持していないと、これらが落下して紛失してしまう虞があった。
【０００６】
そこで、特許文献１には、図１８乃至図２１に示すようにねじ脱落防止用金具を装着した端子台が開示されている。
【０００７】
図中、１は各配線接続部３に対応して端子台本体５の上面に形成された谷状凹部、７は該谷状凹部１の底部に立設されたナット部で、ナット部７の中央に、ねじ９のねじ軸部１１が螺合するねじ孔１３が設けられている。
【０００８】
そして、ナット部７上に、前記ねじ孔１３と一致するねじ孔１５が形成された端子板１７が配置され、更に、前記谷状凹部１の左右の側壁１９の略中央に下側内方へ傾斜する傾斜面２１が形成されている。そして、両傾斜面２１の上部に段状の係止部２３が設けられている。
【０００９】
一方、図中、２５は前記ねじ９のねじ軸部１１を頂部から垂下させた状態で回転自在に保持するねじ脱落防止用金具で、該ねじ脱落防止用金具２５は、ねじ挿通孔２７が形成された平坦な平面視矩形状の基部２９と、該基部２９の左右両端から下側斜め外方へ拡開する一対の弾性片３１とで下向き略コ字状に形成されており、該ねじ脱落防止用金具２５はバネ鋼で形成され、前記弾性片３１には、前記傾斜面２１に圧接する方向への付勢力が付与されている。そして、弾性片３１の先端外方に、前記係止部２３に係止可能な被係止部３３が設けられている。
【００１０】
また、図１９に示すように前記基部２９に設けたねじ挿通孔２７の周縁部には、スリットによって３つの弾性爪３５が等間隔に設けられており、該弾性爪３５がねじ９のねじ首部３７の底部に係合して、該ねじ９を回転自在に保持するようになっている。
【００１１】
ねじ脱落防止用金具２５はこのように構成されており、図２０の如くねじ脱落防止用金具２５のねじ挿通孔２７にねじ９のねじ軸部１１を挿通させて、前記弾性爪３５でねじ９を回転自在に保持させた状態で、ねじ脱落防止用金具２５の弾性片３１の先端に設けた被係止部３３を端子台本体５側の係止部２３に係止させればよい。
【００１２】
而して、斯様に被係止部３３を係止部２３に係止させると、弾性片３１が左右の側壁１９に圧接するため、図１８及び図２０に示すように、ねじ脱落防止用金具２５がねじ９のねじ軸部１１を頂部から垂下させた状態で回転自在に保持することとなる。
【００１３】
この後、図示しない圧着端子のねじ軸部を各配線接続部３の端子板１７上に配置して、図２１の如くねじ９を締め付けると、ねじ脱落防止用金具２５が傾斜面２１に沿って下方へ移動し、圧着端子がねじ脱落防止用金具２５の基部２９と端子板１７との間に接続されるようになっている。
【特許文献１】特開平９−７６５５号公報
【発明の開示】
【発明が解決しようとする課題】
【００１４】
而して、前記ねじ脱落防止用金具２５を装着した端子台３９によれば、圧着端子を端子台本体５に接続する際に、従来の如くねじ９を完全に外す必要がないため、ねじ９の脱落，紛失の虞が軽減されることとなった。
【００１５】
しかし乍ら、ねじ脱落防止用金具２５に回転自在に保持されているねじ９を反締付け方向に回すと、前記弾性爪３５がねじ９のねじ軸部１１に係合してねじ９が同方向へ回転するため、ねじ９を緩めすぎるとねじ挿通孔２７から外れてしまう虞があり、また、何らかの拍子でねじ９が反締付け方向に回ってねじ挿通孔２７から脱落してしまう虞もあった。
【００１６】
本発明は斯かる実情に鑑み案出されたもので、圧着端子の取付け／取り外しに当たり、ねじの確実な脱落防止を可能とした端子台を提供することを目的とする。
【課題を解決するための手段】
【００１７】
斯かる目的を達成するため、請求項１に係る端子台は、各配線接続部に対応して形成された谷状凹部の底部に、圧着端子の電極部をねじ止めするねじ孔が形成され、前記谷状凹部の対向する側壁の上部に、下側内方へ傾斜する傾斜面が形成されると共に、該傾斜面の上部側に内方へ突出する係止片が形成された端子台本体と、前記傾斜面に沿って前記谷状凹部内に上下動可能に収納，装着され、前記ねじ孔に対応するねじ挿通孔が形成された平坦な基部と該基部の左右両端から上側斜め外方へ折曲された一対の弾性片とで上向き略コ字状に形成されたねじ脱落防止用金具と、圧着端子を前記端子台本体にねじ止めする小座つきねじとからなり、前記ねじ脱落防止用金具は、一枚の短冊状のばね鋼を折曲して形成され、前記基部から前記両端弾性片への折曲部に、前記ねじ挿通孔に挿通させた小座つきねじの座金を保持，固定する保持手段が設けられていることを特徴とする。
【００１８】
そして、請求項２に係る発明は、請求項１に記載の端子台に於て、前記保持手段は、前記折曲部に沿って形成され、前記座金の端部が挿入，係止されるスリットであることを特徴とし、請求項３に係る発明は、請求項１に記載の端子台に於て、前記保持手段は、前記折曲部に沿って切り込みを入れて形成された切欠き片で、該切欠き片が前記座金を上方から押圧，保持することを特徴とする。
【００１９】
一方、請求項４に係る発明は、各配線接続部に対応して形成された谷状凹部の底部に、圧着端子の電極部をねじ止めするねじ孔が形成され、前記谷状凹部の対向する側壁の上部に、下側内方へ傾斜する傾斜面が形成されると共に、該傾斜面の上部側に内方へ突出する係止片が形成された端子台本体と、前記傾斜面に沿って前記谷状凹部内に上下動可能に収納，装着され、前記ねじ孔に対応するねじ挿通孔が形成された平坦な基部と該基部の左右両端から上側斜め外方へ折曲された一対の弾性片とで上向き略コ字状に形成されたねじ脱落防止用金具と、圧着端子を前記端子台本体にねじ止めするねじとからなり、前記ねじ脱落防止用金具は、一枚の短冊状のばね鋼を折曲して形成され、前記基部から前記両端弾性片への折曲部に、前記ねじ挿通孔に挿通させたねじのねじ首部を保持，固定する保持手段が設けられていることを特徴とする。
【００２０】
そして、請求項５に係る発明は、請求項４に記載の端子台に於て、前記保持手段は、前記ねじのねじ首部の断面形状に沿って形成され、該ねじ首部が係合する固定孔であることを特徴とする。
【００２１】
更に、請求項６に係る発明は、請求項１乃至請求項５のいずれか１項に記載の端子台に於て、前記谷状凹部の対向する側壁に、前記係止片から傾斜面に亘って係止溝を設けると共に、一対の前記弾性片の先端に、前記係止溝に係止する係止部を設けたことを特徴とすし、請求項７に係る発明は、請求項１乃至請求項６のいずれか１項に記載の端子台に於て、前記弾性片は、先端側が前記傾斜面に圧接可能に斜め外方へ拡開して折曲していることを特徴とする。
【発明の効果】
【００２２】
各請求項に係る発明によれば、端子台への圧着端子の取付け／取り外しに当たり、ねじ及びねじ脱落防止用金具の確実な脱落防止が図れ、この結果、従来に比し圧着端子の取付け／取り外しの作業性が著しく向上することとなった。
【００２３】
また、ねじの脱落に起因する短絡防止も図られるため、従来に比し安全性が向上する利点を有する。
【００２４】
そして、請求項４及び請求項５に係る発明によれば、小座つきねじでなく普通のねじを用いたことで、ねじ脱落防止用金具へのねじの取付作業性が簡単であると共に、端子台の製造コストの低減が可能となる利点を有する。
【００２５】
更に、請求項６に係る発明によれば、係止溝がねじ脱落防止用金具のズレを防止するため、ねじやねじ脱落防止用金具の更なる確実な脱落防止が図れ、請求項７に係る発明によれば、一対の弾性片の先端側を斜め外方へ拡開させているため、傾斜面に圧接して内方へ付勢されている弾性片の基部側でねじの脱落防止を確実に図ることができる。
【発明を実施するための最良の形態】
【００２６】
以下、本発明の実施形態を図面に基づいて詳細に説明する。
【００２７】
図１乃至図９は請求項１，請求項２，請求項６及び請求項７に係る端子台の一実施形態を示し、図１に於て、４１は各配線接続部４３に対応して表裏に谷状凹部（以下、「凹部」という）４５が形成された端子台本体で、表裏の凹部４５の底部４７間に周知の導体部４９が装着され、ねじ孔５１が中央に開口する該導体部４９の上下端４９ａ，４９ｂが、各底部４７から凹部４５内に僅かに突出している。
【００２８】
そして、図１乃至図３に示すように端子台４１表面の凹部４５の対向する側壁５３，５５の上部に、下側内方へ傾斜する傾斜面５７，５９が形成され、両傾斜面５７，５９の上部側に係止片６１，６３が内方へ突設されている。
【００２９】
また、前記側壁５３，５５の上部中央には、前記係止片６１，６３から傾斜面５７，５９、更には該傾斜面５７，５９の下部から側壁５３，５５の内周に亘って係止溝６５，６７が設けられており、両係止溝６５，６７は、後述するねじ脱落防止用金具６９の図１中、矢印Ａ，Ｂ方向への移動を規制する規制部として機能し、前記係止片６１，６３は、凹部４５上方へのねじ脱落防止用金具６９の脱落を防止するストッパとして機能する。
【００３０】
図４乃至図７はねじ脱落防止用金具６９を示し、ねじ脱落防止用金具６９は一枚の短冊状のばね鋼７１を上向き略コ字状に折曲して形成したもので、図３に示すようにねじ脱落防止用金具６９は、傾斜面５７，５９に沿って端子台４１表面の凹部４５内に上下動可能に装着される。
【００３１】
図４及乃至図７に於て、７３はねじ７５のねじ軸部７７が挿通するねじ挿通孔７９が中央に形成された平坦な平面視矩形状の基部、８１，８３は該基部７３の左右両端から上方へ折曲された一対の弾性片で、前記ねじ挿通孔７９は前記ねじ孔５１に対応して形成され、弾性片８１，８３は、先端側が前記傾斜面５７，５９に圧接可能に斜め外方へ拡開して折曲されている。
【００３２】
更に、前記弾性片８１，８３の先端中央に、夫々、前記係止溝６５，６７に係止可能な係止爪８５，８７が外方へ突設されており、図３の如く前記凹部４５内にねじ脱落防止用金具６９を上向き状態で収納して前記係止爪８５，８７を前記係止溝６５，６７に係止させると、既述したように係止溝６５，６７は、ねじ脱落防止用金具６９の図１中、矢印Ａ，Ｂ方向への移動を規制し、また、ねじ脱落防止用金具６９はばね鋼７１で形成されているため、斯様に係止爪８５，８７を前記係止溝６５，６７に係止させると、弾性片８１，８３には前記係止片６１，６３に圧接する方向への付勢力が付与され、斯かる係止片６１，６３が、凹部４５上方へのねじ脱落防止用金具６９の脱落を防止するようになっている。そして、このように凹部４５内にねじ脱落防止用金具６９が収納されると、図３に示すようにねじ脱落防止用金具６９の基部７３と導体部４７の上端４７ａとの間に間隙が形成されるようになっている。
【００３３】
そして、図１，図３乃至図７に示すように、前記基部７３から左右の両弾性片８１，８３への折曲部（折り目）８９，９１に、夫々、スリット９３，９５が各折曲部８９，９１に沿って設けられており、本実施形態は、斯かるスリット９３，９５を前記ねじ挿通孔７９に挿通させたねじ７５を保持，固定する保持手段として機能させている。
【００３４】
即ち、図１及び図３に示すようにねじ７５は、ねじ軸部７７に座金９７が抜け止め緩挿された小座つきねじで、ねじ首部９９と座金９７との間にスプリングワッシャ１０１が緩挿されている。
【００３５】
そして、既述したようにねじ脱落防止用金具６９は図５に示す一枚の短冊状のばね鋼７１を上向き略コ字状に折曲して形成されているが、図１に示すように前記凹部４５内にねじ脱落防止用金具６９を上向き状態で収納するに当たり、斯様に略コ字状に形成されたねじ脱落防止用金具６９の弾性片８１，８３を外方へ若干押し広げて、ねじ挿通孔７９にねじ７５のねじ軸部７７を挿通させ乍ら、前記スリット９３，９５に座板９７の端部を夫々挿入，係止させて弾性片８１，８３を元の状態に復元させると、図６及び図７に示すように前記座金９７を介してねじ７５が、ねじ脱落防止用金具６９のスリット９３，９５に保持，固定されるようになっている。そして、弾性片８１，８３を外方へ押し広げない限り、スリット９３，９５と座金９７の係止状態は解除されず、ねじ脱落防止用金具６９を単に下向きにしてもねじ７５が脱落することがない。
【００３６】
また、スリット９３，９５による座金９７の保持，固定を確実なものとしてねじ７５の確実な脱落防止を図るため、既述したように本実施形態は、一対の弾性片８１，８３は先端側を前記傾斜面５７，５９に圧接可能に斜め外方へ折曲させ、弾性片８１，８３の基部７３側は該基部７３に対して直角に折曲させている。そして、凹部４５内にねじ脱落防止用金具６９を上向き状態で収納して前記係止爪８５，８７を前記係止溝６５，６７に係止させたとき、係止片６１，６３に圧接する弾性片８１，８３は全体的に内方へ僅かに押圧されて、ねじ脱落防止用金具６９からのねじ７５の脱落防止が確実なものとされている。
【００３７】
そして、図３及び図８に示すようにねじ７５をスリット９３，９５に保持，固定したねじ脱落防止用金具６９を上向き状態で凹部４５内に収納し、前記係止爪８５，８７を係止溝６５，６７に係止させると、ねじ脱落防止用金具６９で抜け止めされたねじ７５がねじ孔５１と同軸上に配された本実施形態に係る端子台１０３が形成され、図３の如くねじ軸部７７の先端と導体部４７の上端４７ａとの間に、圧着端子の電極部（ネジ止め部）１０５が挿入できる隙間が形成されるようになっている。
【００３８】
本実施形態はこのように構成されているから、先ず、前記端子台本体４１とねじ脱落防止用金具６９を製造した後、既述した手順で前記スリット９３，９５に座金９７の端部を挿入，係止して、ねじ７５をねじ脱落防止用金具６９に保持，固定させればよい。
【００３９】
この後、端子台本体４１の表面の凹部４５内にねじ脱落防止用金具６９を上向き状態で収納して、前記係止爪８５，８７を前記係止溝６５，６７に係止させれば、係止溝６５，６７がねじ脱落防止用金具６９の図１中、矢印Ａ，Ｂ方向への移動を規制し、係止片６１，６３が、凹部４５上方へのねじ脱落防止用金具６９の脱落を防止する。そして、係止片６１，６３に圧接する弾性片８１，８３が全体的に内方へ僅かに押圧されて、ねじ脱落防止用金具６９（スリット９３，９５）からのねじ７５（座金９７）の脱落防止が図られ、図３の如くねじ軸部７７の先端と導体部４７の上端４７ａとの間に、圧着端子の電極部１０５が挿入可能な隙間が形成される。
【００４０】
而して、この状態で端子台１０３を下向きにしても振動を与えても、ねじ脱落防止用金具６９は凹部４５から外れることがなく、また、ねじ脱落防止用金具６９（スリット９３，９５）からのねじ７５（座金９７）の確実な脱落防止が図られる。
【００４１】
そして、前記端子台１０３に圧着端子を接続，固定するには、図３の如くねじ７５のねじ軸部７７の先端と導体部４７の上端４７ａとの間に、圧着端子の電極部１０５を挿入して、図９に示すようにドライバー１０７でねじ７５を下方へ押圧し乍ら導体部４７のねじ孔５１に締め付けていけば、傾斜面５７，５９に沿って一対の弾性片８１，８３が内方へ押圧され乍ら弾性片ねじ脱落防止用金具６９が下方へ移動し、圧着端子の電極部１０５がねじ脱落防止用金具６９の基部７３と導体部４７の上端４７ａとの間に挟持されて、圧着端子が端子台１０３に接続，固定されることとなる。
【００４２】
また、斯様に端子台１０３に接続，固定された圧着端子を取り外すには、図９の状態にあるねじ７５をドライバー１０７で緩めればよく、斯様にねじ７５を緩めるに従い、内方へ押圧されていた弾性片８１，８３が傾斜面５７，５９に沿って拡開し乍ら上方へ移動し、ねじ脱落防止用金具６９全体が上方へ移動して図３の如くねじ軸部７７の先端と導体部４７の上端４７ａとの間に隙間が形成されるため、圧着端子の電極部１０５を引き抜けばよい。而して、この状態にあっても、既述したようにねじ脱落防止用金具６９（スリット９３，９５）からのねじ７５（座金９７）の脱落防止が図られるため、ねじ７５が端子台１０３から脱落することがない。
【００４３】
このように本実施形態に係る端子台１０３によれば、
(1)座金９７を介してねじ７５がねじ脱落防止用金具６９のスリット９３，９５に保持，固定され、ねじ脱落防止用金具６９を取り外して弾性片８１，８３を外方へ押し広げない限りスリット９３，９５と座金９７の係止状態は解除されず、
(2)端子台１０３を下向きにしてもねじ７５が脱落することがなく、また、係止溝６５，６７がねじ脱落防止用金具６９の図１中、矢印Ａ，Ｂ方向への移動を規制し、係止片６１，６３が、凹部４５からのねじ脱落防止用金具６９の脱落を防止するため、ねじ脱落防止用金具６９自体が凹部４５から脱落することもなく、
(3)而も、スリット９３，９５による座金９７の保持，固定を確実なものとするため、一対の弾性片８１，８３の基部７３側を該基部７３に対し直角に折曲し、凹部４５内にねじ脱落防止用金具６９を上向き状態で収納して前記係止爪８５，８７を前記係止溝６５，６７に係止させたとき、係止片６１，６３に圧接する弾性片８１，８３が全体的に内方へ僅かに押圧されてねじ７５の脱落防止を確実に図る等の工夫を施したため、
端子台１０３への圧着端子の取付け／取り外しに当たり、ねじ７５の確実な脱落防止が図れ、この結果、従来に比し圧着端子の取付け／取り外しの作業性が著しく向上することとなった。
【００４４】
また、ねじ７５の脱落に起因する短絡防止が図られ、従来に比し安全性が向上する利点を有する。
【００４５】
図１０乃至図１３は請求項１，請求項３，請求項６及び請求項７の一実施形態に係る端子台に用いるねじ脱落防止用金具を示し、本実施形態に係るねじ脱落防止用金具１０９は、ねじ７５の保持手段たる前記スリット９３，９５に代え、図示するように折曲部８９，９１に沿ってコ字状の切り込み１１１，１１３を入れて対向する切欠き片１１５，１１７を内方へうち起こすことで、該切欠き片１１５，１１７を保持手段として座金９７を上方から押圧，保持させたことを特徴とする。
【００４６】
尚、端子台本体４１を始め、その他の構成は図１の実施形態と同様であるので、同一のものには同一符号を付してそれらの説明は省略する。
【００４７】
而して、前記ねじ脱落防止用金具１０９を用いた端子台によっても、前記実施形態と同様、所期の目的を達成することが可能で、端子台への圧着端子の取付け／取り外しに当たり、ねじ７５の確実な脱落防止が図れ、従来に比し圧着端子の取付け／取り外しの作業性が著しく向上する利点を有する。
【００４８】
図１４乃至図１７は請求項４乃至請求項７の一実施形態に係る端子台に用いるねじ脱落防止用金具を示し、本実施形態に係るねじ脱落防止用金具１１９は、前記小座つきねじに代えて普通の固定ねじを用い、そして、ねじ１２１のねじ首部１２３を保持する手段として、該ねじ首部１２３の断面形状と一致する対向した固定孔１２５，１２７を折曲部８９，９１に沿って形成し、該固定孔１２５，１２７にねじ首部１２３の左右を係合させてねじ脱落防止用金具１１９からの脱落防止を図ったものである。
【００４９】
そして、本実施形態に於ても、端子台本体４１を始め、その他の構成は図１の実施形態と同様であるので、同一のものには同一符号を付してそれらの説明は省略する。
【００５０】
而して、本実施形態によっても、既述した各実施形態と同様、所期の目的を達成することが可能であり、また、本実施形態によれば、小座つきねじでなく普通のねじ１２１を用いたことで、ねじ脱落防止用金具１１９へのねじ１２１の取付作業性が簡単であると共に、端子台の製造コストの低減が図れる利点を有する。
【図面の簡単な説明】
【００５１】
【図１】請求項１，請求項２，請求項６及び請求項７の一実施形態に係る端子台の分解斜視図である。
【図２】側壁の要部正面図である。
【図３】圧着端子取付前の端子台の要部正面図である。
【図４】ねじ脱落防止用金具の平面図である。
【図５】ねじ脱落防止用金具の展開図である。
【図６】ねじ脱落防止用金具の正面図である。
【図７】ねじ脱落防止用金具の側面図である。
【図８】端子台の要部平面図である。
【図９】圧着端子取付後の端子台の要部正面図である。
【図１０】請求項１，請求項３，請求項６及び請求項７の一実施形態に係る端子台に用いるねじ脱落防止用金具の平面図である。
【図１１】ねじ脱落防止用金具の展開図である。
【図１２】ねじ脱落防止用金具の正面図である。
【図１３】ねじ脱落防止用金具の側面図である。
【図１４】請求項１，請求項５乃至請求項７の一実施形態に係る端子台に用いるねじ脱落防止用金具の平面図である。
【図１５】ねじ脱落防止用金具の展開図である。
【図１６】ねじ脱落防止用金具の正面図である。
【図１７】ねじ脱落防止用金具の側面図である。
【図１８】従来の端子台の斜視図である。
【図１９】ねじ脱落防止用金具の基部の平面図である。
【図２０】圧着端子取付前の端子台の要部拡大断面図である。
【図２１】圧着端子取付後の端子台の要部拡大断面図である。
【符号の説明】
【００５２】
４１  端子台本体
４３  配線接続部
４５  凹部
４９  導体部
５１  ねじ孔
５３，５５  側壁
５７，５９  傾斜面
６１，６３  係止片
６５，６７  係止溝
６９，１０９，１１９  ねじ脱落防止用金具
７１  ばね鋼
７３  基部
７５，１２１  ねじ
７７  ねじ軸部
７９  ねじ挿通孔
８１，８３  弾性片
８５，８７  係止爪
８９，９１  折曲部
９３，９５  スリット
９７  座金
９９，１２３  ねじ首部
１０１  スプリングワッシャ
１０３  端子台
１０５  圧着端子の電極部
１０７  ドライバー
１１１，１１３  切り込み
１１５，１１７  切欠き片
１２５，１２７  固定孔
【図１】
2010129287.tif 000003
【図２】
2010129287.tif 000004
【図３】
2010129287.tif 000005
【図４】
2010129287.tif 000006
【図５】
2010129287.tif 000007
【図６】
2010129287.tif 000008
【図７】
2010129287.tif 000009
【図８】
2010129287.tif 000010
【図９】
2010129287.tif 000011
【図１０】
2010129287.tif 000012
【図１１】
2010129287.tif 000013
【図１２】
2010129287.tif 000014
【図１３】
2010129287.tif 000015
【図１４】
2010129287.tif 000016
【図１５】
2010129287.tif 000017
【図１６】
2010129287.tif 000018
【図１７】
2010129287.tif 000019
【図１８】
2010129287.tif 000020
【図１９】
2010129287.tif 000021
【図２０】
2010129287.tif 000022
【図２１】
2010129287.tif 000023